(57)【要約】      （修正有）【課題】タイヤを手で掴むことなく、かつ、腰を屈めることなく、タイヤ使用状態と清掃状態との間でタイヤを移動させることができる床面清掃用ポリッシャーを提供する。【解決手段】左右に各１つのタイヤ及びタイヤ保持部３と、２つのタイヤ保持部３を連結するアーム４とを備え、タイヤ、タイヤ保持部及びアームを移動させてタイヤが床面に接するタイヤ使用状態と前記タイヤが床面に接しない清掃状態とを実現することが可能であり、アームに直接に又はワイヤー接続具４１を介してワイヤー７が接続され、ワイヤー７はハンドルバーに係合され、ワイヤーを上に引くことによってタイヤ保持部本体３３とともにタイヤを床面から持ち上げ清掃状態に推移させる。【選択図】図６
0003185089.tif 000002
【実用新案登録請求の範囲】
【請求項１】
左右に各１つのタイヤ及びタイヤ保持部と、２つの前記タイヤ保持部を連結するアームとを備え、
前記タイヤ、前記タイヤ保持部及び前記アームを移動させて前記タイヤが床面に接するタイヤ使用状態と前記タイヤが床面に接しない清掃状態とを実現することが可能であり、
前記アームに直接に又はワイヤー接続具を介してワイヤーが接続され、
前記ワイヤーはハンドルバーに係合され、
前記ワイヤーを上に引くことによって前記タイヤ使用状態を前記清掃状態に推移させることを特徴とする、床面清掃用ポリッシャー。
【請求項２】
前記タイヤ、前記タイヤ保持部及び前記アームの移動は、前記タイヤ保持部が保持部回転軸を中心に回転するものであり、
前記タイヤ使用状態においては前記アームが前記保持部回転軸の下方かつ前記保持部回転軸に対してポリッシャー本体に寄った位置に配され、
前記清掃状態においては前記アームが前記保持部回転軸のポリッシャー本体から離れた側に配され、
前記アームにワイヤー接続具を介してワイヤーが接続され、
前記ワイヤー接続具は少なくもその一部が前記保持部回転軸に対してポリッシャー本体から離れて配されていることを特徴とする、請求項１に記載の床面清掃用ポリッシャー。
【請求項３】
アームの左右の２箇所から延びる２本の前記ワイヤーを、１本に束ねてハンドルバーに係合し、該１本のワイヤーの前記タイヤ保持部と反対側の端がレバーに係合されていることを特徴とする、請求項１又は２に記載の床面清掃用ポリッシャー。
【考案の詳細な説明】
【技術分野】
【０００１】
本考案は、薬剤を用いて床面を清掃する床面清掃用ポリッシャーに関するものである。
【背景技術】
【０００２】
薬剤を用いて床面を清掃する床面清掃用ポリッシャーにおいては、移動時にはタイヤを使用し、清掃時にはタイヤを床面から離隔する。このために、移動のためにタイヤが床面に接するタイヤ使用状態と、清掃のためにタイヤが床面に接しない清掃状態との間でタイヤを移動させる仕組みが設けられている。
【０００３】
作業員にとって、タイヤを移動させることは苦労の多い作業である。（１）タイヤを手で掴むために、腰を屈めねばならない。ポリッシャーによる床面清掃においてはポリッシャーの移動と清掃とを短時間で何度も行うことがあり、苦痛を伴う作業となり得る。特に、幅の狭い壁間（廊下など）の清掃においては、壁によって身体の移動が制限されるためにタイヤを手で掴むこと自体が困難な場合もある。（２）タイヤには清掃用の薬剤が付着している。手で掴むことによって、手肌があれてしまう場合もある。
【０００４】
この問題を解決するためには、タイヤを手で掴むことなく、かつ、腰を屈めることなく、タイヤ使用状態と清掃状態との間でタイヤを移動させることができることが好ましい。
特許文献１には、車輪（タイヤ）を上下にスライドさせ、ペダルを踏むことでタイヤ使用状態から清掃状態にタイヤを移動させる（００５８段落参照）床面清掃用ポリッシャーが開示されている。しかし、特許文献１の床面清掃用ポリッシャーは、清掃状態からタイヤ使用状態にタイヤを移動させる際にはタイヤを手で掴まねばならない（００６４段落参照）。
【先行技術文献】
【特許文献】
【０００５】
【特許文献１】特開２００４−００８５３０号公報
【考案の概要】
【考案が解決しようとする課題】
【０００６】
本考案は、タイヤを手で掴むことなく、かつ、腰を屈めることなく、タイヤ使用状態と清掃状態との間でタイヤを移動させることができる床面清掃用ポリッシャーを提供することを課題とする。
【課題を解決するための手段】
【０００７】
本考案の床面清掃用ポリッシャーは、
左右に各１つのタイヤ及びタイヤ保持部と、２つの前記タイヤ保持部を連結するアームとを備え、
前記タイヤ、前記タイヤ保持部及び前記アームを移動させて前記タイヤが床面に接するタイヤ使用状態と前記タイヤが床面に接しない清掃状態とを実現することが可能であり、
前記アームに直接に又はワイヤー接続具を介してワイヤーが接続され、
前記ワイヤーはハンドルバーに係合され、
前記ワイヤーを上に引くことによって前記タイヤ使用状態を前記清掃状態に推移させることを特徴とする。
【０００８】
本考案の床面清掃用ポリッシャーは、
前記タイヤ、前記タイヤ保持部及び前記アームの移動は、前記タイヤ保持部が保持部回転軸を中心に回転するものであり、
前記タイヤ使用状態においては前記アームが前記保持部回転軸の下方かつ前記保持部回転軸に対してポリッシャー本体に寄った位置に配され、
前記清掃状態においては前記アームが前記保持部回転軸のポリッシャー本体から離れた側に配され、
前記アームにワイヤー接続具を介してワイヤーが接続され、
前記ワイヤー接続具は少なくもその一部が前記保持部回転軸に対してポリッシャー本体から離れて配されていることを特徴とする。
【０００９】
本考案の床面清掃用ポリッシャーは、
アームの左右の２箇所から延びる２本の前記ワイヤーを、１本に束ねてハンドルバーに係合し、該１本のワイヤーの前記タイヤ保持部と反対側の端がレバーに係合されていることを特徴とする。
【００１０】
本考案の床面清掃用ポリッシャーは、以上の特徴により課題を解決するものである。
【考案の効果】
【００１１】
本考案の床面清掃用ポリッシャーは、タイヤを手で掴むことなく、かつ、腰を屈めることなく、タイヤ使用状態と清掃状態との間でタイヤを移動させることができる。
【図面の簡単な説明】
【００１２】
【図１】図１は、床面清掃用ポリッシャーを示す図である。
【図２】図２は、タイヤ保持部を示す図である。
【図３】図３は、タイヤ保持部の詳細を示す図である。
【図４】図４は、タイヤ保持部の回転を示す図である。
【図５】図５は、ワイヤーによる力の状態を説明するための図である。
【図６】図６は、本考案のタイヤ保持部を示す図である。
【図７】図７は、本考案の床面清掃用ポリッシャーを示す図である。
【考案を実施するための形態】
【００１３】
まず、本考案の前提となる床面清掃用ポリッシャーについて説明する。
図１は、床面清掃用ポリッシャーを示す図である。図において、電気配線等は本考案と関係しないので省略してある。また、タイヤ２については、点線で表示し、タイヤ２に隠れて見えないその奥の構造を示してある。
【００１４】
ポリッシャー本体１の下部に清掃具１１が備えられ、ポリッシャー本体１から薬剤が供給され、清掃具１１が床面を擦ることで清掃が行われる。
清掃具１１を床面から持ち上げてポリッシャーを移動させるため、タイヤ２が備えられている。タイヤ２は、可動式のタイヤ保持部３によって床面に接するタイヤ使用状態と床面に接しない清掃状態との間を移動する。図は、タイヤ使用状態を表す。
ハンドルバー５が上方に伸び、作業者はハンドルを把持して清掃を行う。ハンドルバー５はペダル（図示しない）を操作することで、床面（清掃具１１）に対する傾斜角を変更することができるものである。
【００１５】
図２は、タイヤ保持部を示す図である。図は、タイヤ使用状態を表す。
タイヤ保持部３は、ポリッシャー本体１に接合されポリッシャー本体１から延伸された保持部回転軸受３１に設けられた保持部回転軸３２を中心として回転する保持部本体３３を備える。保持部本体３３は、タイヤ２（図示しない）の回転の中心となるタイヤ回転軸３４を有している。保持部本体３３の下部からアーム４が延伸され、左右の２つの保持部本体３３はアーム４を介して結合している。アーム４はポリッシャー本体１に沿って円弧状に湾曲している。アーム４にはスプリング６が結合され、スプリング６のアーム４と反対側の端はハンドルバー５に結合されている。
【００１６】
保持部本体３３を、保持部回転軸３２を中心として図の右方に回転させることで、タイヤ回転軸３４が右上方に移動し、タイヤ２も上方に移動して床面から離れ、清掃状態となる。
スプリング６は、後述の仕組みにより、保持部本体３３をタイヤ使用状態及び清掃状態の両方において静止させる。
【００１７】
図３は、タイヤ保持部の詳細を示す図である。（Ａ）は図２におけるＡ方向、（Ｂ）は図２におけるＢ方向から見た図である。図は、タイヤ使用状態を表す。
保持部回転軸３２に、保持部本体３３が回転可能に係合されている。（Ｂ）に示すように、アーム４は、保持部回転軸３２に対してポリッシャー本体１に寄った位置に配されている。
【００１８】
図４は、タイヤ保持部の回転を示す図である。図２におけるＣ方向から見た図である。（Ａ）はタイヤ使用状態を、（Ｂ）は清掃状態を表す。
（Ａ）に示すタイヤ使用状態においては、保持部本体３３は、スプリング６によって、図において点線の矢印で表す方向に付勢されている。保持部本体３３が矢印の方向に回転するとスプリング６のアーム側移動端６１がハンドルバー側固定端６２に近づくためである。アーム４がポリッシャー本体１によって係止されるので、図の状態からさらに点線の矢印で表す方向に回転することはない。
（Ｂ）に示す清掃状態は、タイヤ使用状態からスプリング６による付勢に抗して保持部本体３３を回転させたものである。この状態においては、保持部本体３３は、スプリング６によって、図において点線の矢印で表す方向に付勢されている。保持部本体３３が矢印の方向に回転するとスプリング６のアーム側移動端６１がハンドルバー側固定端６２に近づくためである。アーム４がハンドルバー５によって係止されるので、図の状態からさらに点線の矢印で表す方向に回転することはない。
以上のとおり、スプリング６による付勢とアーム４による係止とによって、タイヤ使用状態と清掃状態の両方において、保持部本体３３が静止される。
【実施例１】
【００１９】
アーム４に接続したワイヤーを引くことによって、保持部本体３３をタイヤ使用状態から清掃状態に移動させることのできる床面清掃用ポリッシャーを示す。
【００２０】
図５は、ワイヤーによる力の状態を説明するための図である。図は、タイヤ使用状態を表す。
ワイヤー７は、アーム４に接続され、反対側がハンドルバー５に係合されている。
（Ａ）に示すように、アーム４に直接にワイヤー７（引く方向を矢印で表す）を接続させた場合には、ワイヤー７を引いても保持部本体３３は清掃状態に向けて（図において右上方向に）回転しない。アーム４が保持部回転軸３２に対してポリッシャー本体１に寄った位置に配されているため、矢印方向の力は保持部回転軸３２に対して図において右上方向への回転力とならない。なお、ハンドルバー５の角度に依存して矢印の方向が変動するが、実際に使用される角度においては図に示すように保持部本体３３が清掃状態に向けて回転しないものである。
【００２１】
（Ｂ）に示すように、ワイヤー接続具４１をアーム４に付し、ワイヤー接続具４１のうち保持部回転軸３２に対してポリッシャー本体１から離れている（図において右側にある）部分にワイヤー７を接続する。
この場合、ワイヤー７を引いて、保持部本体３３を清掃状態に向けて（図において右上方向に）回転させることができる。
【００２２】
図６は、本考案のタイヤ保持部を示す図である。
図２と比較すると、ワイヤー接続具であるリング４１がアーム４に付され、リング４１にワイヤー７が接続されている。リング４１は、丸環ボルトを用いることが好ましい。
【００２３】
図７は、本考案の床面清掃用ポリッシャーを示す図である。
アーム４の左右の２箇所に、各々左右の保持部本体３３を回転させるためのワイヤー７が接続されている。この２本のワイヤーが１本に束ねられてハンドルバー５に係合されている。ハンドルバー５にはレバー８が設けられ、レバー８を操作することでワイヤー７を引いて保持部本体３３をタイヤ使用状態から清掃状態に移動させることができる。
【００２４】
以上のとおり、レバー８を操作することで保持部本体３３をタイヤ使用状態から清掃状態に移動させることができる。
保持部本体３３を清掃状態からタイヤ使用状態に移動させることは、タイヤ２を足で踏みつける等のことにより容易に行うことができる。
タイヤを手で掴むことなく、かつ、腰を屈めることなく、タイヤ使用状態と清掃状態との間でタイヤを移動させることができる床面清掃用ポリッシャーである。
【産業上の利用可能性】
【００２５】
タイヤを手で掴むことなく、かつ、腰を屈めることなく、タイヤ使用状態と清掃状態との間でタイヤを移動させることができる床面清掃用ポリッシャーであり、多くの床面清掃作業者による利用が期待される。
【符号の説明】
【００２６】
１   ポリッシャー本体
１１  清掃具
２   タイヤ
３   タイヤ保持部
３１  保持部回転軸受
３２  保持部回転軸
３３  保持部本体
３４  タイヤ回転軸
４    アーム
４１  リング（ワイヤー接続具）
５    ハンドルバー
６    スプリング
７    ワイヤー
８    レバー
【図１】
0003185089.tif 000003
【図２】
0003185089.tif 000004
【図３】
0003185089.tif 000005
【図４】
0003185089.tif 000006
【図５】
0003185089.tif 000007
【図６】
0003185089.tif 000008
【図７】
0003185089.tif 000009